(57)【要約】      （修正有）【課題】プラグの先端部にテンションピンを適用することにより、中空内部導体の管径に関係なく使用することができ、その中空内部導体の密着度を向上して、高周波特性の劣化を防止する。【解決手段】本発明は、中空内部導体１１を有する同軸ケーブル１０のコネクタに関し、中空内部導体１１を含む同軸ケーブル１０の端部外側に固定結合される固定コネクタ部２０と、前記固定コネクタ部２０に回転結合されるソケット型の回転コネクタ部３０と、上記回転コネクタ部３０の中心に固定設置され、前記回転コネクタ部３０と前記固定コネクタ部２０とが結合された状態において前記中空内部導体１１の内側に挿入されるプラグ４０と、上記プラグ４０の端部に中央部が結合され、前記中空内部導体１１の内周に密着するように外側へ復元力が作用するテンションピン５０とを備える。【選択図】図２
2014130818.tif 000002
【特許請求の範囲】
【請求項１】
中空内部導体を含む同軸ケーブルの端部外側に固定結合される固定コネクタ部と、
前記固定コネクタ部に回転結合されるソケット型の回転コネクタ部と、
上記回転コネクタ部の中心に固定設置され、前記回転コネクタ部と前記固定コネクタ部とが結合された状態において前記中空内部導体の内側に挿入されるプラグと、
上記プラグの端部に中央部が結合され、前記中空内部導体の内周に密着するように外側へ復元力が作用するテンションピンとを備えることを特徴とする中空内部導体を有する同軸ケーブルのコネクタ。
【請求項２】
上記テンションピンは、
中央部が締結部材によって上記プラグの端部に結合され、
上記中央部から弧状に延びる曲がりテンション板が、前記プラグを囲むように設けられていることを特徴とする請求項１に記載の中空内部導体を有する同軸ケーブルのコネクタ。
【請求項３】
上記曲がりテンション板の前記中央部と反対側の端部は、前記プラグの外面に接触することを特徴とする請求項２に記載の中空内部導体を有する同軸ケーブルのコネクタ。
【請求項４】
上記締結部材は、
ヘッドに隣接する部分にネジ山が形成されていない構成を有するボルトであることを特徴とする請求項２または３に記載の中空内部導体を有する同軸ケーブルのコネクタ。
【請求項５】
上記締結部材は、
前記テンションピンを上記プラグに回転可能に結合するリベットであることを特徴とする請求項２または３に記載の中空内部導体を有する同軸ケーブルのコネクタ。
【発明の詳細な説明】
【技術分野】
【０００１】
本発明は、中空内部導体を有する同軸ケーブルのコネクタに関し、特に、簡単な構造を具備しながらも、中空内部導体の内部直径とは関係なしで安定的な接続状態を維持できる、中空内部導体を有する同軸ケーブルのコネクタに関する。
【背景技術】
【０００２】
通常、高周波通信に使用される小容量のケーブルは、内側に心線を備えているが、大容量のケーブルは、直径が大きく、内部には、中空内部導体が設けられた同軸ケーブルを使用している。
このような中空内部導体を使用する同軸ケーブルの端部には、コネクタが結合されており、前記中空内部導体との密着度によって、異なる相互変調歪み（ＩＭＤ）の特性が現れる。
したがって、中空内部導体の内側に挿入されるピンと該中空内部導体との間の密着度は、高周波通信において特に重要となる。
【０００３】
相互変調歪みなどの特性の劣化を防止するために、様々な形態のピンを備えるコネクタが提案されている。しかし、これらのコネクタは、構造が複雑であるため製造のコストが高く、且つ、中空内部導体の管径に応じて異なる直径のピンを製造しなければならないという問題点があった。特許文献１には、中空内部導体の内部に挿入されるプラグと、前記プラグの後端に結合され、前記中空内部導体の一端側の外周の一部が挿入されるスプリングコンタクトとを有する構成が開示されている。
【０００４】
このような構成では、中空内部導体とプラグとの密着度を高めるために、プラグの直径が前記中空内部導体の内部管径と少なくとも同程度になるように製造しなければならない。
このために、プラグの製造時の精度と反復性とが維持される必要がある。また、中空内部導体の管径が異なる他のケーブルにも適用するために、プラグの直径も変更しなければならないため、適当な大きさに新たに製造しなければならないという不具合があった。
【先行技術文献】
【特許文献】
【０００５】
【特許文献１】韓国公開特許１０−２００９−００２０４６９号公報
【発明の概要】
【発明が解決しようとする課題】
【０００６】
上記のような問題点に鑑み、本発明が解決しようとする課題は、中空内部導体の管径の変化にも柔軟に対応することができる中空内部導体を有する同軸ケーブルのコネクタを提供することにある。
また、本発明の課題は、コネクタピンの損傷を防止し、信頼性を向上させることができる中空内部導体を有する同軸ケーブルのコネクタを提供することにもある。
【課題を解決するための手段】
【０００７】
上記のような技術課題を解決するために、本発明による中空内部導体を有する同軸ケーブルのコネクタは、中空内部導体を含む同軸ケーブルの端部外側に固定結合される固定コネクタ部と、前記固定コネクタ部に回転結合されるソケット型の回転コネクタ部と、上記回転コネクタ部の中心に固定設置され、前記回転コネクタ部と前記固定コネクタ部とが結合された状態において前記中空内部導体の内側に挿入されるプラグと、上記プラグの端部に中央部が結合され、前記中空内部導体の内周に密着するように外側へ復元力が作用するテンションピンとを備える。
【発明の効果】
【０００８】
本発明による中空内部導体を有する同軸ケーブルのコネクタは、プラグの先端部にテンションピンを適用することにより、中空内部導体の管径に関係なく適用することができ、その中空内部導体との密着度を向上して、高周波特性の劣化を防止するという効果を奏する。
また、本発明は、前記プラグに固定されたテンションピンが結合時に回転するように構成されているため、コネクタを同軸ケーブルに結合する過程においてテンションピンが損傷することを防止し、信頼性を向上させる効果も奏する。
【図面の簡単な説明】
【０００９】
【図１】図１は、本発明による好適な実施の形態に係る中空内部導体を有する同軸ケーブルのコネクタの構成図である。
【図２】図２は、図１の断面構成図である。
【図３】図３は、図２においてコネクタとテンションピンとを分離した構成図である。
【図４】図４は、コネクタとテンションピンの他の実施例による断面構成図である。
【図５】図５は、コネクタとテンションピンの他の実施例による断面構成図である。
【発明を実施するための形態】
【００１０】
以下、本発明による中空内部導体を有する同軸ケーブルのコネクタの実施例について、図面を参照しながら詳しく説明する。
図１は、本発明による好適な実施例に係る中空内部導体を有する同軸ケーブルのコネクタの構成図であり、図２は、図１の断面構成図である。
【００１１】
図１と図２に示すとおり、本発明による好適な実施例による中空内部導体を有する同軸ケーブルのコネクタは、中空内部導体（１１）を備えるケーブル（１０）の端部の外側において前記ケーブル（１０）が挿入されて固定される固定コネクタ部（２０）と、前記固定コネクタ部（２０）と回転結合される回転コネクタ部（３０）と、前記回転コネクタ部（３０）の内側の中央に結合され、結合時に前記中空内部導体（１１）の内部に挿入されるプラグ（４０）と、前記プラグ（４０）の一端部に締結部材（５１）によって締結され、外径方向にテンションを付与する曲がりテンション板（５２）を具備し、前記中空内部導体（１１）の内側に密着接触するテンションピン（５０）とを含む。
【００１２】
ここで説明を省略する符号６０は、前記回転コネクタ部（３０）の後端側から、前記プラグ（４０）の他端部に連接されるケーブルである。
以下、上記のように構成されている本発明による好適な実施例に係る中空内部導体を有する同軸ケーブルのコネクタの構成と作用について、さらに詳しく説明する。
【００１３】
まず、同軸ケーブル（１０）は、中心部に中空内部導体（１１）が設けられており、中空内部導体（１１）の管径は、必要に応じて変更することができる。
上記同軸ケーブル（１０）の端部の外周には、円筒状の固定コネクタ部（２０）が結合されている。前記固定コネクタ部（２０）の役割は、前記同軸ケーブル（１０）が内側に挿入された状態で堅固に固定し、回転コネクタ部（３０）が容易に結合できるようにすることにある。
【００１４】
前記固定コネクタ部（２０）の同軸ケーブル（１０）の端部側の外周の一部には、回転結合ができるようにねじ結合部（２１）が設けられている。
前記固定コネクタ部（２０）のねじ結合部（２１）には、一端にケーブル（６０）が接続されている回転コネクタ部（３０）が回転しながら締結される。前記回転コネクタ部（３０）は、一側が開放されたソケット形状であり、内側中央部には他の部分から絶縁されたプラグ（４０）が固定設置されている。
【００１５】
上記プラグ（４０）は、前記固定コネクタ部（２０）に回転コネクタ部（３０）が結合されることによって、同軸ケーブル（１０）の中空内部導体（１１）の内側に挿入される。
また、前記プラグ（４０）の中空内部導体（１１）に挿入される端部には、テンションピン（５０）が結合されている。
【００１６】
図３は、上記のプラグとテンションピンの分離状態の構成図である。
図３を参照すると、プラグ（４０）の形状は円筒形で、所定の長さを持つ構成であり、その端部には、テンションピン（５０）が締結部材（５１）によって結合されている。
上記テンションピン（５０）は、前記締結部材（５１）によってプラグ（４０）の端部に結合された部分（中央部）を中心に、複数の曲がりテンション板（５２）が弧状に設けられるように構成されているが、その複数の板が上記プラグ（４０）の外側を囲むように設けられ、長手方向の中央部分が外側へ向かって曲げられた形状になっている。
【００１７】
また、上記曲がりテンション板（５２）の先端（プラグ（４０）の端部に結合された部分と反対側の端部）は、前記プラグ（４０）の外周面に接触する形状になっている。
したがって、外側に接触する前記中空内部導体（１１）の内周の接触圧力により、前記曲がりテンション板（５２）の中央部分は、プラグ（４０）の中心方向に向かって押され、外側方向である中空内部導体（１１）の内周側への復元力が作用することになる。このような構成によって、前記中空内部導体（１１）の内側に曲がりテンション板（５２）が密着するので接触力を向上することができる。
【００１８】
特に、中空内部導体（１１）の管径に関係なく適用することができるので、同一のサイズのプラグ（４０）とテンションピン（５０）を使用しながらも、様々な管径の中空内部導体（１１）を有する同軸ケーブル（１０）に適用することができる。
【００１９】
図４は、本発明による他の実施例に係るプラグ（４０）とテンションピン（５０）の結合状態の一部断面図である。
図４を参照すると、本発明による他の実施例におけるプラグ（４０）とテンションピン（５０）とは、ヘッドに隣接する部分にネジが形成されていない形態のボルト（５３）により締結されている。
【００２０】
上記のような形態のボルト（５３）は、プラグ（４０）とテンションピン（５０）とを回転可能な状態で結合している。図１と図２にそれぞれ示された回転コネクタ部（３０）を回転させて固定コネクタ部（２０）に結合する際に、前記回転コネクタ部（３０）の中心部分に固定された前記プラグ（４０）は、その回転コネクタ部（３０）と一緒に回転することになる。
【００２１】
この場合、前記プラグ（４０）に回転可能で結合されたテンションピン（５０）は、中空内部導体（１１）に接触して回転しない状態となり、上記回転コネクタ部（３０）が締結されることによっても回転変位は発生せず、中空内部導体（１１）の内側方向（長手方向）のみへ移動することになる。
したがって、上記のテンションピン（５０）を構成する複数の曲がりテンション板（５２）が損傷することを防止することができる。
【００２２】
図５は、本発明による他の実施例に係るプラグ（４０）とテンションピン（５０）の結合状態の一部断面図である。
図５を参照すると、図４と同じくプラグ（４０）に対してテンションピン（５０）が回転可能に結合されるように、リベット（５４）を使用する。
【００２３】
上記のリベット（５４）により、プラグ（４０）に結合されたテンションピン（５０）は、プラグ（４０）が回転する際に、前記中空内部導体（１１）に接触して回転しない状態になり、損傷することなく、中空内部導体（１１）の内側に密着して挿入固定され得る。
【００２４】
上記のとおり、本発明について好適な実施例を挙げて詳しく説明したが、本発明は、上記の実施例に限定されるものではなく、特許請求の範囲、発明の詳細な説明及び図面の範囲内で様々な形態に変更して実施することができ、これらも本発明に属する。
【符号の説明】
【００２５】
１０：同軸ケーブル        
１１：中空内部導体
２０：固定コネクタ部      
２１：ねじ結合部
３０：回転コネクタ部      
４０：プラグ
５０：テンションピン      
５１：締結部材
５２：曲がりテンション板  
５３：ボルト
５４：リベット
【図１】
2014130818.tif 000003
【図２】
2014130818.tif 000004
【図３】
2014130818.tif 000005
【図４】
2014130818.tif 000006
【図５】
2014130818.tif 000007